【手続補正書】
【提出日】令和3年11月17日(2021.11.17)
【手続補正１】
【補正対象書類名】特許請求の範囲
【補正対象項目名】全文
【補正方法】変更
【補正の内容】
【特許請求の範囲】
【請求項１】
キャビティー後壁と、当該キャビティー後壁の対向する縁部から延伸する第１及び第２キャビティー側壁とを含むことで第１タワーキャビティー（５０１）を画定するタワー本体（１０３）であって、前記第１タワーキャビティーは水／養分混合物の通路（８１１）を設けるよう構成されたタワー本体（１０３）と；
第１タワー面プレート（１０１）であって、当該第１タワー面プレートの縁部分が前記タワー本体（１０３）の前記第１キャビティー側壁の外側縁部にヒンジ式に結合されており、前記第１タワー面プレート（１０１）が、前記タワー本体に対して少なくとも第１タワーキャビティー閉位置と第１タワーキャビティー開位置とに、前記のヒンジ式に結合された縁部分を介して配置されるよう構成されており、前記第１タワー面プレートは、複数の第１植物容器切り抜き（１０５）を含み、当該複数の第１植物容器切り抜きは、複数の第１植物容器を収容するよう構成された、第１タワー面プレートと；
第１留め具（８０１）であって、前記第１タワー面プレートが前記第１タワーキャビティー閉位置にあるときに、前記第１タワー面プレート（１０１）を前記タワー本体（１０３）の前記第２キャビティー側壁の外側縁部に一時的にラッチ固定するよう構成された第１留め具と、を含む、多部品水耕タワー。
【請求項２】
前記多部品水耕タワーが両面式水耕タワーであり、前記タワー本体が、第２タワーキャビティー（５０１）を画定するように前記キャビティー後壁の前記対向する縁部から延伸する第３及び第４キャビティー側壁を含み、前記多部品水耕タワーが：
第２タワー面プレート（１０１）であって、当該第２タワー面プレートの縁部分がタワー本体（１０３）の前記第３キャビティー側壁の外側縁部にヒンジ式に結合されており、前記第２タワー面プレート（１０１）が、前記タワー本体に対して少なくとも第２タワーキャビティー閉位置と第２タワーキャビティー開位置とに、前記のヒンジ式に結合された縁部分を介して配置されるよう構成されており、前記第２タワー面プレートは、複数の第２植物容器切り抜き（１０５）を含み、当該複数の第２植物容器切り抜きは、複数の第２植物容器を収容するよう構成された、第２タワー面プレートと；
第２留め具（８０１）であって、前記第２タワー面プレートが前記第２タワーキャビティー閉位置にあるときに、前記第２タワー面プレート（１０１）を前記タワー本体（１０３）の前記第４キャビティー側壁の外側縁部に一時的にラッチ固定するよう構成された第２留め具と、をさらに含む、請求項１に記載の多部品水耕タワー。
【請求項３】
前記第１留め具（８０１）が第１スナップ嵌め留め具を含む、請求項１又は２に記載の多部品水耕タワー。
【請求項４】
前記第２留め具（８０１）が第２スナップ嵌め留め具を含む、請求項２又は３に記載の多部品水耕タワー。
【請求項５】
第１キャビティー後壁（７０１）に形成された複数の第１垂直隆条（８１１）と；
前記第２キャビティー後壁に形成された複数の第２垂直隆条（８１１）と、をさらに含む、請求項２の多部品水耕タワー。
【請求項６】
前記複数の第１垂直隆条（８１１）のそれぞれが均一の幅を備え、前記複数の第２垂直隆条（８１１）のそれぞれが均一の幅を備える、請求項５に記載の多部品水耕タワー。
【請求項７】
前記タワー本体の第１側面の全長にわたって形成された第１Ｖ字型溝（８０３）であって、前記第１タワーキャビティー（５０１）と前記第２タワーキャビティー（５０１）との間の中央に位置する第１Ｖ字型溝と；
前記タワー本体の第２側面の全長にわたって形成された第２Ｖ字型溝（８０３）であって、前記第１タワーキャビティーと前記第２タワーキャビティーとの間の中央に位置する第２Ｖ字型溝と、をさらに含む、請求項２に記載の多部品水耕タワー。
【請求項８】
前記第１Ｖ字型溝（８０３）が、前記第１タワーキャビティー（５０１）に対応する第１側壁部分（８０９）と、前記第２タワーキャビティー（５０１）に対応する第２側壁部分（８０９）とから形成され、
前記第２Ｖ字型溝が、前記第１タワーキャビティーに対応する第３側壁部分と、前記第２タワーキャビティーに対応する第４側壁部分とから形成される、請求項７に記載の多部品水耕タワー。
【請求項９】
前記第１タワー面プレート（１０１）が前記第１タワーキャビティー開位置にあるとき、前記第１側壁は、前記第１キャビティー後壁に対して外側に張り出しており、前記第１タワー面プレートが前記第１タワーキャビティー開位置にあるとき、前記第２側壁は、前記第１キャビティー後壁に対して外側に張り出しており；
前記第２タワー面プレート（１０１）が前記第２タワーキャビティー開位置にあるとき、前記第３側壁は、前記第２キャビティー後壁に対して外側に張り出しており、前記第２タワー面プレートが前記第２タワーキャビティー開位置にあるとき、前記第４側壁は、前記第２キャビティー後壁に対して外側に張り出している、請求項２に記載の多部品水耕タワー。
【請求項１０】
前記第１タワー面プレート（１０１）が前記第１タワーキャビティー開位置にあるとき、前記第１側壁（７１３）は、前記第１キャビティー後壁（７０１）に対して概ね１００度の角度をなし、前記第１タワー面プレートが前記第１タワーキャビティー開位置にあるとき、前記第２側壁（７１３）は、前記第１キャビティー後壁（７０１）に対して概ね１００度の角度をなし、前記第２タワー面プレート（１０１）が前記第２タワーキャビティー開位置にあるとき、前記第３側壁（７１３）は、前記第２キャビティー後壁（７０１）に対して概ね１００度の角度をなし、前記第２タワー面プレートが前記第２タワーキャビティー開位置にあるとき、前記第４側壁（７１３）は、前記第２キャビティー後壁（７０１）に対して概ね１００度の角度をなす、請求項９に記載の多部品水耕タワー。
【請求項１１】
前記第１タワー面プレート（１０１）が前記第１タワーキャビティー閉位置にあるとき、前記第１側壁（７１３）は、前記第１キャビティー後壁（７０１）に対して概ね直角をなし、前記第１タワー面プレートが前記第１タワーキャビティー閉位置にあるとき、前記第２側壁（７１３）は、前記第１キャビティー後壁（７０１）に対して概ね直角をなし、前記第２タワー面プレート（１０１）が前記第２タワーキャビティー閉位置にあるとき、前記第３側壁（７１３）は、前記第２キャビティー後壁（７０１）に対して概ね直角をなし、前記第２タワー面プレートが前記第２タワーキャビティー閉位置にあるとき、前記第４側壁（７１３）は、前記第２キャビティー後壁に対して概ね直角をなす、請求項９に記載の多部品水耕タワー。
【請求項１２】
前記第１タワー面プレートの前記縁部分が前記タワー本体（１０３）の前記第１キャビティー側壁の前記外側縁部に取り外し不可能でヒンジ式に結合されている、
請求項１乃至１１のいずれかに記載の多部品水耕タワー。
【請求項１３】
前記第２タワー面プレートの前記縁部分が前記タワー本体（１０３）の前記第３キャビティー側壁の前記外側縁部に取り外し不可能でヒンジ式に結合されている、請求項２に記載の多部品水耕タワー。
【請求項１４】
前記タワー本体の第１縁部分が第１タワー本体ヒンジ部材を含み、
前記第１タワー面プレートの縁部分が第１面プレートヒンジ部材を含み、前記第１タワー面プレートが、前記タワー本体に、前記第１タワー本体ヒンジ部材を介してヒンジ式に結合されている、請求項１に記載の多部品水耕タワー。
【請求項１５】
前記タワー本体の前記第１縁部分の前記第１本体ヒンジ部材が、前記第１タワーキャビティーに対応し、前記タワー本体が、前記タワー本体の第２縁部分に対応する第２タワー本体ヒンジ部材をさらに含み、前記タワー本体の前記第２縁部分の前記第２タワー本体ヒンジ部材が、前記第２タワーキャビティーに対応し、
前記第２タワー面プレートが、前記タワー本体に、前記第２タワー本体ヒンジ部材及び前記第２面プレートヒンジ部材を介してヒンジ式に結合されている、請求項２に記載の多部品水耕タワー。